(57)【要約】本発明は、移動通信システムでソフトハンドオフのときの電力制御方法に関する。ソフトハンドオフのとき複数の基地局(base station；ＢＳ)と通信する移動端末機(mobile station；ＭＳ)は、ＢＳから受信された順方向共通パイロットチャンネルの信号強度をそれぞれ測定し、測定された信号強度を交互にＢＳに伝送する。そうすると、受信された信号強度の測定値に従って順方向共通電力制御チャンネルの送信電力を決定する。
2005501471.tif 000002
【特許請求の範囲】
【請求項１】
ソフトハンドオフによって移動端末機と通信する複数の基地局を含む移動通信システムで前記移動端末機が前記基地局から伝送される順方向チャンネルの受信信号の強度をそれぞれ測定し、前記基地局に前記測定された信号強度を伝送する方法において、
前記基地局に対応するタイムスロットを割り当てるステップと、
前記測定された信号強度を前記割り当てられたタイムスロットにそれぞれ乗せて前記基地局に伝送するステップと、を備えることを特徴とする方法。
【請求項２】
前記信号強度は、順方向共通パイロットチャンネルの受信搬送波対干渉比(Carrier to Interference；Ｃ／Ｉ)である請求項１記載の方法。
【請求項３】
前記割り当てるステップは、
ソフトハンドオフによって通信する前記基地局のうちの１つが除去(Drop)されるか、または新たな基地局が追加(Add)されるとき遂行される請求項１記載の方法。
【請求項４】
前記割り当てるステップは、
前記移動端末機が前記基地局を含む周辺基地局から伝送される順方向チャンネルの受信信号の強度をそれぞれ測定した結果、前記測定された信号強度のうち所定の時間の間継続して所定の第２基準値より小さいかまたは前記測定された信号強度のうち少なくとも１つが所定の第１基準値を超過するとき遂行される請求項３記載の方法。
【請求項５】
前記割り当てるステップは、
前記測定された信号強度の大きさに従って前記タイムスロットを割り当てる請求項１記載の方法。
【請求項６】
前記伝送するステップは、
前記基地局のうち一番大きい信号強度を有する基地局を指すインディケータを伝送する請求項１記載の方法。
【請求項７】
ソフトハンドオフによって移動端末機と通信する複数の基地局を含む移動通信システムで前記移動端末機が前記基地局から伝送される順方向チャンネルの受信信号の強度をそれぞれ測定し、前記基地局に前記測定された信号強度を伝送する方法において、
前記基地局のうちサービス基地局から前記基地局に対応するタイムスロットの割当て情報を受信するステップと、
前記受信された割当て情報に従って、前記測定された信号強度を前記割り当てられたタイムスロットにそれぞれ乗せて前記基地局に伝送するステップと、を備えることを特徴とする方法。
【請求項８】
前記信号強度は、順方向共通パイロットチャンネルの受信搬送波対干渉比である請求項７記載の方法。
【請求項９】
前記伝送するステップは、
前記基地局のうち一番大きい信号強度を有する基地局を指すインディケータを伝送する請求項７記載の方法。
【請求項１０】
ソフトハンドオフによって移動端末機と通信する複数の基地局を含む移動通信システムで前記移動端末機が前記基地局から伝送される順方向チャンネルに対して測定した受信信号の強度を伝送する方法において、
前記移動端末機が前記基地局から伝送される順方向チャンネルの受信信号の強度をそれぞれ測定するステップと、
前記測定された信号強度を前記基地局に順次に伝送するステップと、を備えることを特徴とする方法。
【請求項１１】
ソフトハンドオフによって移動端末機と通信する複数の基地局を含む移動通信システムで前記基地局が順方向チャンネル及び逆方向チャンネルの電力を制御する方法において、
前記基地局に対してそれぞれ割り当てられたタイムスロットで前記移動端末機が該当する基地局から伝送される順方向チャンネルに対して測定した信号強度を受信するステップと、
前記受信された信号強度に従って前記移動端末機へ伝送される順方向チャンネルの送信電力を制御するステップと、を備えることを特徴とする方法。
【請求項１２】
前記信号強度は、順方向共通パイロットチャンネルの受信搬送波対干渉比である請求項１１記載の方法。
【請求項１３】
前記受信するステップは、
前記基地局のうち一番大きい信号強度を有する基地局を指すインディケータを受信する請求項１１記載の方法。
【請求項１４】
前記移動端末機から伝送される逆方向チャンネルに対して測定した受信信号の強度に従って逆方向チャンネルの電力制御命令を生成するステップと、
前記生成された電力制御命令を前記移動端末機へ伝送するステップと、をさらに含む請求項１１記載の方法。
【請求項１５】
ソフトハンドオフによって移動端末機と通信する複数の基地局を含む移動通信システムで前記基地局のうちの１つであるサービス基地局が順方向チャンネルの電力を制御するために前記移動端末機により測定された順方向チャンネルの受信信号の強度を受信する方法において、
前記基地局に対応するタイムスロットを割り当てるステップと、
前記割当て情報を前記サービス基地局を除外した他の基地局へ伝送するステップと、
前記サービス基地局に割り当てられたタイムスロットで前記移動端末機が前記サービス基地局から伝送される順方向チャンネルに対して測定した信号強度を受信するステップと、を備えることを特徴とする方法。
【請求項１６】
前記信号強度は、順方向共通パイロットチャンネルの受信搬送波対干渉比である請求項１５記載の方法。
【請求項１７】
前記割り当てるステップは、
ソフトハンドオフによって通信する前記基地局のうちの１つが除去(Drop)されるか、または新たな基地局が追加(Add)されるとき遂行される請求項１５記載の方法。
【請求項１８】
前記割り当てるステップは、
前記測定された信号強度の大きさに従って前記タイムスロットを割り当てる請求項１５記載の方法。
【請求項１９】
前記伝送するステップは、
前記割当て情報を前記移動端末機に伝送する請求項１５記載の方法。
【請求項２０】
前記受信するステップは、
前記基地局のうち一番大きい信号強度を有する基地局を指すインディケータを受信する請求項１５記載の方法。
【請求項２１】
前記受信された信号強度に従って前記移動端末機へ伝送される順方向チャンネルの送信電力を制御するステップをさらに備える請求項１５記載の方法。
【請求項２２】
前記移動端末機から伝送される逆方向チャンネルに対して測定した受信信号の強度に従って逆方向チャンネルの電力制御命令を生成するステップと、
前記生成された電力制御命令を前記移動端末機へ伝送するステップとをさらに備える請求項１５記載の方法。
【請求項２３】
移動端末機と通信する基地局と、前記基地局に隣接し、ソフトハンドオフにより前記移動端末機と通信する複数の他の基地局を含む移動通信システムで前記基地局が順方向チャンネル及び逆方向チャンネルの電力を制御する方法において、
予め割り当てられたタイムスロットで前記移動端末機から伝送される逆方向チャンネル品質指示チャンネルに対して測定した受信信号の強度に従って前記逆方向チャンネル品質指示チャンネルの電力制御命令を生成し、前記生成された逆方向チャンネル品質指示チャンネルの電力制御命令を順方向共通電力制御チャンネルを通じて前記移動端末機へ伝送するステップと、
割り当てられないタイムスロットで前記移動端末機から伝送される逆方向パイロットチャンネルに対して測定した受信信号の強度に従って前記逆方向パイロットチャンネルの電力制御命令を生成し、前記生成された逆方向パイロットチャンネルの電力制御命令を順方向共通電力制御チャンネルを通じて前記移動端末機へ伝送するステップと、を備えることを特徴とする方法。
【請求項２４】
前記信号強度は、順方向共通パイロットチャンネルの受信搬送波対干渉比である請求項２３記載の方法。
【請求項２５】
前記割り当てられたタイムスロットで前記移動端末機が前記基地局から伝送される順方向チャンネルに対して測定した信号強度を受信するステップと、
前記受信された信号強度に従って前記移動端末機へ伝送される順方向チャンネルの送信電力を制御するステップと、をさらに備える請求項２３記載の方法。
【請求項２６】
前記受信するステップは、
前記基地局のうち一番大きい信号強度を有する基地局を指すインディケータを受信する請求項２５記載の方法。
【請求項２７】
移動端末機と通信する基地局と、前記基地局に隣接し、ソフトハンドオフにより前記移動端末機と通信する複数の他の基地局を含む移動通信システムで前記移動端末機が順方向チャンネル及び逆方向チャンネルの電力を制御する方法において、
予め割り当てられたタイムスロットで前記基地局のうち該当する基地局から逆方向チャンネル品質指示チャンネルの電力制御命令を受信し、前記受信された逆方向チャンネル品質指示チャンネルの電力制御命令に従って前記逆方向チャンネル品質指示チャンネルの送信電力を制御するステップと、
割り当てられないタイムスロットで前記基地局のうち該当する基地局から逆方向パイロットチャンネルの電力制御命令を受信し、前記受信された逆方向パイロットチャンネルの電力制御命令に従って前記逆方向パイロットチャンネルの送信電力を制御するステップとを備えることを特徴とする方法。
【請求項２８】
前記割り当てられたタイムスロットで前記移動端末機が前記基地局から伝送される順方向チャンネルに対して測定した信号強度を伝送するステップをさらに備える請求項２７記載の方法。
【請求項２９】
前記信号強度は、順方向共通パイロットチャンネルの受信搬送波対干渉比である請求項２８記載の方法。
【請求項３０】
前記伝送するステップは、
前記基地局のうち一番大きい信号強度を有する基地局を指すインディケータを伝送する請求項２８記載の方法。
【発明の詳細な説明】
【技術分野】
【０００１】
本発明は、音声及びデータサービスを含むマルチメディアサービスを支援する移動通信システムに関し、特に、移動端末機がソフトハンドオフ(soft handoff)地域にある場合に対する電力制御を遂行するための方法に関する。
【背景技術】
【０００２】
典型的な移動通信システム、例えば、ＩＳ−２０００のような符号分割多重接続(Code Division Multiple Access；ＣＤＭＡ)方式の移動通信システムは、音声サービスのみを支援する形態である。しかし、最近では、使用者の要求とともに通信技術が発展するにつれて、移動通信システムは、データサービスを支援する形態にも発展している。例えば、ＨＤＲ(High Data Rate)は、高速のデータサービスのみを支援するために提案された移動通信システムである。
【０００３】
このような移動通信システムは、音声サービス及びデータサービスを同時にサービスする必要があるにもかかわらず、既存の移動通信システムは、各サービスを別途に支援する形態である。従って、音声サービスを支援しつつ高速のパケットデータサービスも支援することができる移動通信システムの実現が要求されている。このような要求を満足させるために、最近では、１ｘＥＶ−ＤＶ(Evolution-Data and Voice)システムと呼ばれる移動通信システムが提案されている。
【０００４】
移動通信システムにおいて、全体のサービス地域を複数のセル(cells)に分割してそれぞれの基地局(Base Stations；ＢＳ)に管理し、このようなＢＳを移動交換局(Mobile Switching Center；ＭＳＣ)の下で集中的に制御することにより、移動端末機(Mobile Station；ＭＳ)が１つのセルを他のセルに移動させつつも通話を継続して保持することができるようにする。前記ＢＳは、前記ＭＳと無線チャンネルを通じて通信する。有線で通信する地上(Land)通信システムとは異なり、移動通信システムでは、フェ−ディング及び干渉などの影響によって送信エラーが発生することができる。このようなエラーを防止するために一番広く使用される方法は、フェ−ディング及び干渉などをカバーすることができる程度で高い電力を使用することである。しかし、過度な電力は、隣接した他の使用者の無線チャンネルに干渉として作用することができる。従って、移動通信システムで無線チャンネルの電力制御は、システムの性能に重要な影響を及ぼす。通常に、ＢＳ及びＭＳは、相互間の電力制御を遂行する。ＭＳからＭＳの方向に向くチャンネルの電力制御に必要な一連の手順を順方向電力制御と呼び、ＭＳからＢＳの方向に向くチャンネルの電力制御に必要な一連の手順を逆方向電力制御と呼ぶ。
【０００５】
一方、ＣＤＭＡ移動通信システムは、同一の時間に１つの周波数チャンネルを通じて複数の符号チャンネルを同時に連結することができる。このような特性を利用すると、ＢＳ間のオーバーラップ領域にあるＭＳは、１つの呼のために無線チャンネルを通じて同時に２個のＢＳと通信することができる。これをソフトハンドオフ(Soft Handoff)と呼ぶ。このような場合、ＭＳと通信しているすべてのＢＳに対して電力制御が遂行されなければならない。
【０００６】
図１は、従来技術による移動通信システムでＭＳがソフトハンドオフを遂行する場合の順方向及び逆方向電力制御に関連したチャンネルを示す。ここで、ＭＳは、ソフトハンドオフの間２個のＢＳと同時に通信する。
【０００７】
図１を参照して逆方向電力制御の手順を説明すると、ＢＳのそれぞれ(セクタ型ＢＳの場合のセクタ；以下、“セクタ”と称する。)は、ＭＳからの逆方向パイロットチャンネル(Reverse Pilot Channel；Ｒ−ＰＩＣＨ)上で測定された信号対雑音比(signal to noise ratio；ＳＮＲ、すなわち、雑音電力対パイロットチャンネル信号電力の比率；Ｅｐ／Ｎｔ)を外部循環電力制御(Outer Loop Power Control)のために定められた外部循環基準値(outer loop set point)と比較する。前記測定された信号対雑音比が前記外部循環基準値より大きい場合、前記セクタは、順方向共通電力制御チャンネル(Forward Common Power Control Channel；Ｆ-ＣＰＣＣＨ)を利用してＭＳに逆方向チャンネルの送信電力(transmission power)を低めるように指示し、その反対の場合には、ＭＳに逆方向チャンネルの送信電力を高めるように指示する。
【０００８】
ＭＳは、ソフトハンドオフのとき２個以上のセクタ(セクタ１、セクタ２)と順方向共通電力制御チャンネル(ＣＰＣＣＨ１、ＣＰＣＣＨ２)を連結し、前記共通電力制御チャンネルのうち１つ以上で電力減少を指示する場合に逆方向チャンネルの送信電力を低める。そして、すべての順方向共通電力制御チャンネルが電力増加を指示する場合にのみ送信電力を増加させる。
【０００９】
次に、順方向電力制御の手順を説明すると、順方向共通電力制御チャンネルの送信電力は、逆方向チャンネル品質指示チャンネル(Reverse Channel Quality Indicator Channel；Ｒ−ＣＱＩＣＨ)を通じて受信されるチャンネル品質情報を利用して決定される。ＭＳは、特定の１つのセクタに対して測定した順方向パイロットチャンネル(Forward Pilot Channel)の受信信号の強度、すなわち、前記順方向パイロットチャンネルの搬送波対干渉比(Carrier to Interference Ratio；Ｃ／Ｉ)の値を前記逆方向チャンネル品質指示チャンネルを通じて前記セクタに伝送する。
【００１０】
図１に示すように、ソフトハンドオフが遂行されている場合、ＭＳは、セクタ１及びセクタ２で伝送する共通パイロットチャンネル(common pilot channel)のＣ／Ｉの値をそれぞれ測定し、前記測定された値のうち最大のＣ／Ｉの値を前記チャンネル品質指示チャンネルを通じて伝送する。このとき、前記最大のＣ／Ｉの値は、該当するセクタ(図１の場合セクタ１)にのみ受信される。前記セクタ１は、前記最大のＣ／Ｉの値を利用して前記共通電力制御チャンネル(ＣＰＣＣＨ１)の送信電力を決定する。
【００１１】
図１のように、ソフトハンドオフ(Soft Handoff)状況で順方向及び逆方向電力制御を遂行する場合下記のような２つの問題点が発生する。
【００１２】
一番目は、２個以上の共通電力制御チャンネルに対する順方向電力制御に関連する。ソフトハンドオフ中のＭＳは、少なくとも２個以上のセクタに順方向共通電力制御チャンネルを連結する。しかし、ＭＳは、１個のセクタの共通パイロットチャンネルに対して測定された搬送波対干渉比の値のみを報告する。例えば、ＭＳがソフトハンドオフのときセクタ１及びセクタ２と同時に通信中であり、前記セクタ１が前記セクタ２よりさらによい順方向チャンネル品質を有する場合、前記ＭＳは、前記セクタ１の順方向共通パイロットチャンネル(ＰＩＣＨ１)で測定された搬送波対干渉比の値のみを前記セクタ１へ伝送する。そうすると、前記セクタ１は、前記ＭＳから前記搬送波対干渉比の値を利用して共通電力制御チャンネル(ＣＰＣＣＨ１)の送信電力を決定することができる。一方、前記セクタ２は、パイロットチャンネル(ＰＩＣＨ２)のＣ／Ｉの値を受信できないので、共通電力制御チャンネル(ＣＰＣＣＨ２)の送信電力を決定することができない。
【００１３】
二番目は、逆方向チャンネル品質指示チャンネルの送信電力の決定に関連する。逆方向チャンネル品質指示チャンネルの送信電力は、逆方向パイロットチャンネル及び逆方向トラヒックチャンネル(traffic channel)と一定の比率を保持するようになっている。すなわち、逆方向パイロットチャンネル及び逆方向トラヒックチャンネルの送信電力が低くなる場合には、逆方向チャンネル品質指示チャンネルの送信電力も同一の比率で低くなければならなく、逆方向パイロットチャンネル及び逆方向トラヒックチャンネルの送信電力が高くなる場合には、逆方向チャンネル品質指示チャンネルの送信電力も同一の比率で高くなければならない。
【００１４】
しかし、逆方向パイロットチャンネルとは異なり、逆方向チャンネル品質指示チャンネルはソフトハンドオフ対象ではない。すなわち、逆方向チャンネル品質指示チャンネルは、ＭＳ周辺のセクタのうち順方向チャンネル品質が一番よい１つのセクタにのみ受信される。反対に、逆方向パイロットチャンネル及び逆方向トラヒックチャンネルは、ソフトハンドオフのとき２個以上のセクタに伝送されるので、良好な受信性能を保証することができる。また、逆方向パイロットチャンネルの場合には、選択ダイバーシティ(selection diversity)または結合(combining)を通じて受信性能の改善が可能である。
【００１５】
ソフトハンドオフのとき、逆方向チャンネル品質指示チャンネルの電力制御を逆方向パイロットチャンネル及び逆方向トラヒックチャンネルと同様に遂行する場合、逆方向パイロットチャンネル及び逆方向トラヒックチャンネルに対しては、所望の受信性能を得ることができるが、逆方向チャンネル品質指示チャンネルの受信性能は所望の水準より低い可能性が高い。
【発明の開示】
【発明が解決しようとする課題】
【００１６】
上記背景に鑑みて、本発明の目的は、移動通信システムで、ソフトハンドオフが遂行される間、逆方向電力制御命令を伝送する順方向共通電力制御チャンネル(Ｆ−ＣＰＣＣＨ)の送信電力を制御するための方法を提供することにある。
【００１７】
本発明の他の目的は、移動通信システムで、ソフトハンドオフが遂行される間、ＭＳから受信される順方向チャンネル品質情報を利用して順方向チャンネルの送信電力を制御するための方法を提供することにある。
【００１８】
本発明のまた他の目的は、移動通信システムで、ソフトハンドオフが遂行される間、ＭＳが順方向リンクの品質を示す情報を伝送するための方法を提供することにある。
【００１９】
本発明のさらに他の目的は、移動通信システムで、ＭＳがソフトハンドオフのとき通信している複数のＢＳに対して測定された順方向チャンネルの受信強度の測定値をＢＳに伝送する方法を提供することにある。
【００２０】
本発明のなお他の目的は、移動通信システムで、ＭＳがソフトハンドオフのとき通信している複数のＢＳに順方向チャンネル品質情報を伝送する手順を決定する方法を提供することにある。
【００２１】
本発明のなお他の目的は、移動通信システムで、ＭＳから伝送される逆方向パイロットチャンネルと逆方向チャンネル品質指示チャンネルとの送信電力をそれぞれ独立的に制御する方法を提供することにある。
【課題を解決するための手段】
【００２２】
このような目的を達成するために、本発明によれば、ソフトハンドオフのとき複数のＢＳと通信しているＭＳは、ＢＳから受信された順方向共通パイロットチャンネルの信号強度を測定してＢＳに前記測定された信号強度を順次に伝送する。そうすると、ＢＳは、前記受信された信号強度の測定値に従って順方向共通電力制御チャンネルの送信電力を制御する。
【発明の効果】
【００２３】
本発明は、移動通信システムにおいて、ＭＳがソフトハンドオフにより２個以上のセクタと通信する場合、すべてのセクタに対するパイロット信号強度の測定値をそれぞれ該当セクタに交互に伝送し、ハンドオフのうちであるすべてのセクタからの順方向共通電力制御チャンネルの電力を制御できる。また、ソフトハンドオフの状況で、サービスセクタが順方向共通電力制御チャンネルを通じてＭＳの逆方向パイロットチャンネル(Ｒ−ＰＩＣＨ)の電力制御命令及びチャンネル品質指示チャンネル(ＣＱＩＣＨ)の電力制御命令をＭＳに伝送する。従って、チャンネル品質指示チャンネルの送信電力及び逆方向パイロットチャンネル(Ｒ−ＰＩＣＨ)の送信電力を独立的に制御することができる。
【発明を実施するための最良の形態】
【００２４】
以下、本発明の好適な一実施形態について添付図を参照しつつ詳細に説明する。下記の説明において、本発明の要旨のみを明瞭にする目的で、関連した公知機能又は構成に対する詳細な説明は省略する。
【００２５】
まず、本発明による移動通信システムで使用されるチャンネルに対して簡略に説明する。
共通電力制御チャンネル(Common Power Control Channel；ＣＰＣＣＨ)は順方向に伝送され、チャンネル品質指示チャンネル(Channel Quality Indicator Channel；ＣＱＩＣＨ)は逆方向に伝送される。共通電力制御チャンネルは、１個の符号チャンネル(code channel)として、複数のＭＳの逆方向送信電力を制御するのに利用される。チャンネル品質指示チャンネルは、ＭＳが周辺のＢＳ(セクタ型ＢＳである場合のセクタ)から伝送される順方向共通パイロットチャンネル(common pilot channel)に対して測定したチャンネル品質、すなわち、信号強度(例えば、搬送波対干渉比Ｃ／Ｉ)を伝達する。
【００２６】
チャンネル品質指示チャンネルに乗せられる追加情報は、一番よい順方向チャンネル品質を有するセクタを指すセクタインディケータ(Sector Indicator)である。前記セクタインディケータは、ＭＳが順方向トラヒックチャンネルを通じてパケットデータを受信しようとするセクタを選択するのに使用される。逆方向チャンネル品質指示チャンネルを通じて順方向チャンネル品質情報及びセクタインディケータを受信したセクタは、これら情報を利用して順方向パケットデータ(forward packet data)の送信時点、変調(modulation)方式、符号化率(code rate)などを決定する。また、前記セクタは、逆方向チャンネル品質指示チャンネルを通じて受信された情報を利用して特定のＭＳに向く共通電力制御チャンネルの送信電力を制御する。
【００２７】
図２は、本発明の実施例による移動通信システムでソフトハンドオフが遂行される間のＭＳの順方向及び逆方向電力制御に関連したチャンネルを示す。特に、図２は、ソフトハンドオフが遂行される間２個以上のセクタに対する順方向電力制御を遂行する動作の一例を示す。
【００２８】
図２を参照すると、逆方向チャンネル品質指示チャンネル(Ｒ−ＣＱＩＣＨ)は、ソフトハンドオフのときＭＳと通信しているすべてのセクタの信号強度の測定値を順次に伝送する。ソフトハンドオフのとき、ＭＳがセクタ１及びセクタ２と通信している場合、前記ＭＳは、前記セクタ１及び前記セクタ２の順方向共通パイロットチャンネル(Ｆ−ＰＩＣＨ１、Ｆ−ＰＩＣＨ２)の信号強度の測定値をそれぞれ前記セクタ１及び前記セクタ２に交互に伝送する。前記ＭＳは、毎フレーム(frame)内の偶数番目タイムスロット(even time slot)では、前記セクタ１の順方向パイロットチャンネル(Ｆ−ＰＩＣＨ１)に対して測定された信号強度の値をチャンネル品質指示チャンネル(ＣＱＩＣＨ)を通じて前記セクタ１へ伝送する。また、毎フレーム内の奇数番目タイムスロット(odd time slot)では、前記セクタ２の順方向パイロットチャンネル(Ｆ−ＰＩＣＨ２)に対して測定された信号強度の値をチャンネル品質指示チャンネル(ＣＱＩＣＨ)を通じて前記セクタ２へ伝送する。このとき、前記チャンネル品質指示チャンネル(ＣＱＩＣＨ)の送信電力は、前記セクタが適切な水準の受信性能をもって受信することができるように制御される。前記セクタ１及び前記セクタ２の信号強度の測定値を交互に伝送することは、１つのＭＳで２個またはそれ以上のセクタの共通電力制御チャンネル(ＣＰＣＣＨ１、ＣＰＣＣＨ２)の送信電力を制御するためである。
【００２９】
図３は、本発明の実施例による移動通信システムでソフトハンドオフ中であるＭＳの順方向及び逆方向電力制御に関連したチャンネルの時間的な動作を示す。図３を参照すると、ＭＳは、逆方向パイロットチャンネル(Ｒ−ＰＩＣＨ)及びチャンネル品質指示チャンネル(ＣＱＩＣＨ)をすべてのタイムスロットで伝送する。トラヒックデータ(Traffic data)を伝送するトラヒックチャンネル(traffic channel)は、特定のセクタに伝送するデータがある場合、前記逆方向パイロットチャンネル及びチャンネル品質指示チャンネルとともに前記特定のセクタに伝送される。
【００３０】
一方、前記ＭＳは、ソフトハンドオフによりセクタ１及びセクタ２と通信している。前記ＭＳは、１．２５ｍｓ長さのタイムスロット単位に分けて前記セクタ１及び前記セクタ２に該当する順方向チャンネル品質情報を交互に伝送する。このとき、前記チャンネル品質指示チャンネルは、前記セクタ１に対して割り当てられたｎ番目、(ｎ＋２)番目、及び(ｎ＋４)番目のタイムスロットでは、前記セクタ１の順方向共通パイロットチャンネルに対して測定されたチャンネル品質情報、すなわち、パイロット信号強度を前記セクタ１に伝送し、前記セクタ２に対して割り当てられた(ｎ＋１)番目、(ｎ＋３)番目、及び(ｎ＋５)番目のタイムスロットでは、前記セクタ２の順方向共通パイロットチャンネルに対して測定されたパイロット信号強度を前記セクタ２に伝送する。斜線で表示されたタイムスロットで電力制御が遂行される。斜線のないタイムスロットでは、以前のタイムスロットで遂行された電力制御が保持される。
【００３１】
図３を参照して本発明による動作を詳細に説明する。
ソフトハンドオフによりセクタ１及びセクタ２と同時にチャンネルを連結しているＭＳは、毎フレームの偶数番目のタイムスロットでチャンネル品質指示チャンネルを通じて前記セクタ１に前記セクタ１の順方向チャンネル品質情報、すなわち、信号強度の測定値を伝送する。そうすると、前記セクタ１は、前記受信された情報に基づいて共通電力制御チャンネル１(ＣＰＣＣＨ１)の送信電力を決定する。また、前記ＭＳは、毎フレームの奇数番目のタイムスロットでチャンネル品質指示チャンネルを通じて前記セクタ２に前記セクタ１の信号強度の測定値を伝送する。前記セクタ２は、前記受信された情報に基づいて前記セクタ２から伝送される共通電力制御チャンネル２(ＣＰＣＣＨ２)の送信電力を決定する。ここで、前記セクタ１及び前記セクタ２は、順方向チャンネル品質情報を受信できないタイムスロットに対して共通電力制御チャンネルの送信電力を以前のタイムスロットでと同一に保持する。
【００３２】
このとき、前記チャンネル品質指示チャンネルは、順方向チャンネルのチャンネル品質情報とともに一番よい順方向チャンネル品質を有するセクタ(以下、最上のセクタ(best sector)と称する。)を指す“セクタインディケータ(Sector Indicator)”を伝送する。前記セクタインディケータは、最上のセクタ(best sector)ではないセクタに伝送される場合にも常に最上のセクタを指示するように設定される。これは、最上のセクタ以外のセクタにチャンネル品質情報を伝送する理由が該当セクタの共通電力制御チャンネル(ＣＰＣＣＨ)の電力制御を遂行するのに必要な情報を伝送するためのものであり、該当セクタから順方向パケットデータを受信するためではないからである。活性集合(active set)に備えられているセクタは、前記セクタインディケータによってＭＳが自分を最上のセクタとして選択したか否かがわかる。活性集合に備えられているセクタは、ＭＳからチャンネル品質指示チャンネルの割り当てられたタイムスロットを通じて順方向チャンネル品質情報とともに受信されたセクタインディケータを自分のセクタインディケータと比較し、同一ではない場合には、前記セクタは、順方向パケットデータ(packet data)の伝送スケジューリング(scheduling)から前記ＭＳを除外する。
【００３３】
活性集合が更新される度に、ＭＳは、前記活性集合に備えられている少なくとも１つのセクタに順方向チャンネル品質情報を交互に伝送する。ここで、ＭＳは、最初に１つのセクタと順方向及び逆方向チャンネルを連結しており、このセクタをサービスセクタ(serving sector)であると定義すると、前記活性集合の更新は、前記サービスセクタの指示により行われる。すなわち、サービスセクタは、ＭＳと同一の活性集合を有しており、必要な場合には、自分が有している活性集合をまず更新した後に該当するＭＳに活性集合の更新を指示する。
【００３４】
また、順方向チャンネル品質情報を伝送するタイムスロットは、ＭＳ及びサービスセクタが共通的に認知している規則に従ってＭＳで割り当てるか(第１実施例)、またはサービスセクタで割り当てることができる(第２実施例)。第１実施例の場合、ＭＳは、活性集合に含まれているセクタに対応するタイムスロットを所定の規則に従って割り当てた後に前記割り当てられたタイムスロットを通じて該当する順方向チャンネル品質情報を伝送し、サービスセクタも前記所定の規則に従って自分を含めて活性集合に含まれているセクタに対応するタイムスロットを割り当てた後にその結果を活性集合に含まれている他のセクタに通報する。前記第２実施例の場合、サービスセクタは、活性集合に含まれているセクタに対応するタイムスロットを割り当てた後にその結果を活性集合に含まれている他のセクタ及びＭＳに通報する。
【００３５】
以下、本発明によるＭＳとサービスセクタでの動作を詳細に説明する。
図４は、本発明の実施例による移動通信システムでソフトハンドオフ中のＭＳが２個以上のセクタに順方向チャンネル品質情報、すなわち、信号強度の測定値を順次に伝送するための手順を示すフローチャートである。図４を参照すると、まず、前記ＭＳは、ステップ４０１で所定の周期ごと周辺のセクタから伝送する順方向共通パイロットチャンネルの信号強度、例えば、Ｃ／Ｉをそれぞれ測定する。そして、ステップ４０２で、前記ＭＳは、前記測定された信号強度値を活性集合の更新のために所定の基準値Ｔ＿ＡＤＤと比較して大きいか否かを決定する。前記測定された信号強度値のうち、前記Ｔ＿ＡＤＤより大きい測定値が１個以上ある場合、前記ＭＳは、ステップ４０３で、前記信号強度の測定値を含むパイロット強度測定メッセージ(Pilot Strength Measurement Message；ＰＳＭＭ)をサービスセクタに伝送して活性集合の更新(update)を要請する。前記活性集合の更新要請が発生する場合、前記サービスセクタは、シグナリング(signaling)メッセージを利用して前記ＭＳに新たに更新された活性集合の情報を通報する。
【００３６】
ステップ４０４で、前記ＭＳは、前記サービスセクタから更新された活性集合に対する情報が受信されるか否かを検査する。前記サービスセクタから更新された活性集合の情報を受信する場合に、前記ＭＳはステップ４０５に進行し、そうではない場合に周辺セクタの順方向共通パイロットチャンネルの信号強度を継続して測定するためにステップ４０１に戻る。
【００３７】
ステップ４０５で、前記更新された活性集合の情報を受信した前記ＭＳは、どのタイムスロットでどのセクタのための信号強度の測定値を伝送するかを決定する。前述したように、第１実施例が適用される場合、前記ＭＳは、所定の規則に従って前記信号強度の測定値を伝送するタイムスロットを割り当てる。一方、第２実施例が適用される場合、前記ＭＳは、前記サービスセクタから前記信号強度の測定値を伝送するタイムスロットの割当てに対する情報を受信する。前記タイムスロットの割当てに対する情報は、前記サービスセクタと前記ＭＳとの間に定められたシグナリングメッセージを利用して前記ＭＳに受信される。前記タイムスロットの割当てに対しては下記でより詳細に説明する。
【００３８】
終わりに、前記信号強度の測定値の伝送タイムスロットを決定した後に、ステップ４０６で、前記ＭＳは、前記更新された活性集合が適用される時点から前記決定されたタイムスロットの位置で前記活性集合に含まれたセクタに該当する信号強度の測定値をチャンネル品質指示チャンネルを通じて交互に伝送する。このとき、ＭＳが一番よいチャンネル品質を有するセクタではない他のセクタに信号強度の測定値を伝送するときも前記チャンネル品質指示チャンネルのセクタインディケータは、前記一番よい品質を有するセクタの識別子として指定される。
【００３９】
一方、ステップ４０５で、ＭＳがどのタイムスロットでどのセクタのための信号強度の測定値を伝送するかは、前記活性集合の内に含まれたセクタの順方向パイロットチャンネルの信号強度測定値の大きさに従って決定されることができる。すなわち、活性集合のセクタのそれぞれに対応する信号強度の測定値の送信時間区間(タイムスロット)は、前記セクタの共通パイロットチャンネルの信号強度の測定値の大きさによって決定される。
【００４０】
例えば、活性集合がセクタ１及びセクタ２を含んでおり、前記セクタ１の共通パイロットチャンネルの測定値が前記セクタ２のそれより大きい場合、ＭＳは、前記活性集合が適用される時点から適用が終了する時点まで０番目、二番目、及び四番目などの偶数番目タイムスロットごと前記セクタ１に対して測定された順方向チャンネルの信号強度の測定値をチャンネル品質指示チャンネルを通じて伝送する。同様に、前記ＭＳは、前記活性集合が適用される時点から適用が終了する時点まで、一番目、三番目、及び五番目などの奇数番目タイムスロットごと前記セクタ２に対して測定された順方向信号強度の測定値をチャンネル品質指示チャンネルを通じて伝送する。
【００４１】
図５は、本発明の他の実施例による移動通信システムでソフトハンドオフ中であるＭＳが２個以上のセクタにチャンネル品質情報、すなわち、順方向チャンネルの信号強度の測定値を交互に伝送する動作を示すフローチャートである。図５は、ＭＳとチャンネルを連結しているサービスセクタでの動作を示している。
【００４２】
図５を参照すると、まず、サービスセクタは、ステップ５０１で、ＭＳから活性集合の更新を要請するパイロット強度測定メッセージが受信されるか否かを検査する。前記パイロット強度測定メッセージを受信するとき、前記サービスセクタは、ステップ５０２に進行して前記メッセージに含まれた周辺のセクタに対応する共通パイロットチャンネルの信号強度の測定値、例えば、搬送波対干渉比の値に基づいて前記ＭＳに対する活性集合を更新する。ステップ５０２では、どのセクタを前記活性集合に含ませるか、そして、どのセクタを前記活性集合で除外するかを決定する。さらに詳細に説明すると、所定の追加基準値(Ｔ＿ＡＤＤ)を超過する信号強度を有するセクタは活性集合に追加(ＡＤＤ)され、所定の時間の間継続して所定の基準値(Threshold for Drop；Ｔ＿ＤＲＯＰ)より小さい信号強度を有するセクタは活性集合で除外される。前記更新された活性集合の情報は、前記ＭＳ内の活性集合の更新を指示するために前記ＭＳに伝送される。
【００４３】
前記活性集合を更新した後に、前記サービスセクタは、ステップ５０３で前記更新結果、活性集合に含まれたすべてのセクタがＭＳから対応する信号強度の測定値を受信するタイムスロットを割り当てる。このとき、例えば、前記タイムスロットは、前記信号強度の測定値に従って割り当てられることができる。この後、前記サービスセクタは、ステップ５０４で前記割当て情報を前記活性集合に含まれたすべての他のセクタに通報する。ここで、第１実施例が適用される場合、前記ＭＳは、自体的に信号強度の測定値を伝送するタイムスロットを割り当てるので、前記サービスセクタは、前記タイムスロットの割当て情報を前記ＭＳに通報しない。一方、第２実施例が適用される場合、前記サービスセクタは、前記タイムスロットの割当て情報を前記活性集合に含まれたすべてのセクタのみならず前記ＭＳにも通報しなければならない。このとき、前記タイムスロットの割当て情報は、前記サービスセクタと前記ＭＳとの間に定められたシグナリングメッセージを利用して前記ＭＳに伝送される。
【００４４】
ステップ５０５で、前記サービスセクタは、前記定められたタイムスロットで前記ＭＳからの信号強度の測定値を受信し、これを利用して順方向共通電力制御チャンネルの送信電力を制御する。同様に、前記活性集合に属する他のセクタも逆方向チャンネル品質指示チャンネルのそれぞれを前記定められたタイムスロットでＭＳからの信号強度の測定値を受信して順方向共通電力制御チャンネルの送信電力を制御する。ここで、前記活性集合に属するセクタは、自分に割り当てられた時間区間(タイムスロット)で受信される信号強度の測定値を分析して順方向電力制御を遂行する。あるセクタで前記チャンネル品質指示チャンネルに設定されたセクタインディケータが自分のセクタインディケータと同一であれば、順方向電力制御とともに前記ＭＳを対象にしてパケットデータの伝送に関するスケジューリングを遂行する。一方、ステップ５０５は、更新された活性集合が適用される時点から遂行される。
【００４５】
図６は、本発明の実施例に従って活性集合が新たに更新される時点を中心にＭＳがチャンネル品質情報を伝送する動作を時間的に示す。図６を参照すると、前記ＭＳは、矢印で表示された時点で活性集合を更新する。ここで、セクタ１及びセクタ２を含む活性集合が前記活性集合の更新時点で前記セクタ１、セクタ２、及び追加されたセクタ３を含むように更新される。これは、ＭＳが２個のセクタと通信するソフトハンドオフ(2-way soft handoff)状態から３個のセクタと通信するソフトハンドオフ(3-way soft handoff)状態に遷移したことを意味する。また、前記活性集合の更新以前には、前記セクタ１のパイロット信号強度の測定値が前記セクタ２のパイロット信号強度の測定値より大きいと仮定し、前記活性集合の更新の後には、パイロット信号強度の測定値の順序が前記セクタ２、前記セクタ３、及び前記セクタ１になると仮定する。
【００４６】
このような場合、前記活性集合の更新以前区間では、前記セクタ１のためのパイロット信号強度の測定値、前記セクタ２のためのパイロット信号強度の測定値の順序に交互に伝送される。すなわち、０番目、二番目、及び四番目などの偶数番目タイムスロットは前記セクタ１に割り当てられ、一番目、三番目、及び五番目などの奇数番目タイムスロットは前記セクタ２に割り当てられる。また、前記活性集合の更新以後からの前記セクタ２、前記セクタ３、及び前記セクタ１の順に該当するパイロット信号強度の測定値が交互に伝送される。
【００４７】
図４乃至図６において、ＭＳがどのタイムスロットでどのセクタのための順方向チャンネル品質情報を伝送するかを決定する規則は、次のように要約される。
活性集合に含まれているセクタの個数がＮであり、前記活性集合が新たに適用した時点から進行されたタイムスロットの個数をｉであるとする場合、ＭＳが順方向チャンネル品質情報を伝送する順序は次のようである。
【００４８】
ｉ％Ｎ＝０である場合、前記ＭＳが一番大きいパイロット信号強度の測定値を有するセクタに該当順方向チャンネル品質情報を伝送する。
ｉ％Ｎ＝１である場合、前記ＭＳが二番目に大きいパイロット信号強度の測定値を有するセクタに該当順方向チャンネル品質情報を伝送する。
ｉ％Ｎ＝Ｎ−２である場合、前記ＭＳが二番目に小さいパイロット信号強度の測定値を有するセクタに該当順方向チャンネル品質情報を伝送する。
ｉ％Ｎ＝Ｎ−１である場合、前記ＭＳが一番小さいパイロット信号強度の測定値を有するセクタに該当順方向チャンネル品質情報を伝送する。
【００４９】
すなわち、前記ＭＳは、活性集合が更新された時点から進行されたタイムスロットの個数ｉを前記活性集合に属したセクタの数Ｎに割った残りをもって該当タイムスロットでどのセクタのチャンネル品質情報を伝送するかを決定する。
【００５０】
図７は、本発明の実施例による移動通信システムで順方向及び逆方向電力制御に関連したチャンネルを示す。特に、図７は、ソフトハンドオフ状況で、順方向共通電力制御チャンネルを利用して逆方向電力制御を遂行する場合、特に、チャンネル品質指示チャンネルの送信電力を制御するための方法を示す。
【００５１】
図７に示すように、ソフトハンドオフにより１つのＭＳと通信しているセクタ１及びセクタ２は、前記ＭＳが伝送するチャンネル品質指示チャンネルの送信電力を制御するために共通電力制御チャンネルを構成するタイムスロットのうち、半分は逆方向パイロットチャンネルのための電力制御命令を伝送するのに利用し、残りの半分は、チャンネル品質指示チャンネルのための電力制御命令を伝送するのに利用する。前記ＭＳは、前記共通電力制御チャンネルを通じて受信される電力制御命令を逆方向パイロットチャンネルのための電力制御命令とチャンネル品質指示チャンネルのための電力制御命令とに区分し、前記命令に応じて前記逆方向パイロットチャンネル及び前記チャンネル品質指示チャンネルのそれぞれに対する電力制御を独立的に遂行する。従って、ソフトハンドオフされる逆方向チャンネル(すなわち、逆方向パイロットチャンネル及び逆方向トラヒックチャンネル)及びソフトハンドオフされない逆方向チャンネル(すなわち、チャンネル品質指示チャンネル)の適切な受信性能を保証する。
【００５２】
前記ＭＳは、ソフトハンドオフ中であるセクタが伝送する電力制御命令が逆方向パイロットチャンネルのための電力制御命令であるかまたはチャンネル品質指示チャンネルのための電力制御命令であるかを区分する方法を順方向チャンネル品質情報を伝送するタイムスロットを割り当てる方法と同一に決定することができる。
【００５３】
ソフトハンドオフ中であるセクタは、ＭＳが伝送したチャンネル品質情報の受信を完了する時点から２タイムスロットだけ経過したタイムスロットでチャンネル品質指示チャンネルのための電力制御命令を伝送する。他のタイムスロットでは、逆方向パイロットチャンネルのための電力制御命令が伝送される。ここで、前記チャンネル品質情報の受信時間の後の２タイムスロットは、前記チャンネル品質情報を分析してチャンネル品質指示チャンネルのための電力制御命令を生成するのに使用される。このような目的のためのタイムスロットの数は、システム性能によっている。
【００５４】
例えば、前記ＭＳがソフトハンドオフにより２個のセクタ、すなわち、セクタ１及びセクタ２と通信している場合、前記セクタ１は、チャンネル品質指示チャンネル(ＣＱＩＣＨ)のｎ番目、(ｎ＋２)番目、(ｎ＋４)番目、．．．のスロットで自分の順方向チャンネル品質情報としてパイロット信号強度測定値を受信する。前記セクタ１は、ｎ番目スロットで前記チャンネル品質指示チャンネルの受信信号の強度を測定し、これをチャンネル品質指示チャンネルのために定められた外部循環電力制御の基準値(outer loop set point)と比較して(ｎ＋２)番目スロットの電力制御命令を決定する。同様に、(ｎ＋２)番目、(ｎ＋４)番目、．．．スロットで測定した前記チャンネル品質指示チャンネルの受信信号の強度を前記外部循環電力制御の基準値と比較してそれぞれ(ｎ＋４)番目、(ｎ＋６)番目、．．．のスロットの電力制御命令を決定する。(ｎ＋１)番目、(ｎ＋３)番目、及び(ｎ＋５)番目のスロットでは前記ＭＳから伝送される逆方向パイロットチャンネルの受信信号の強度を測定し、これをパイロットチャンネルのために定められた外部循環電力制御の基準値と比較してそれぞれ(ｎ＋３)番目、(ｎ＋５)番目、及び(ｎ＋７)番目のスロットの電力制御命令を決定する。
【００５５】
一方、前記セクタ２は、(ｎ＋１)番目スロットで測定したチャンネル品質指示チャンネルの受信信号の強度をチャンネル品質指示チャンネルのために定められた外部循環電力制御の基準値と比較して(ｎ＋３)番目スロットの電力制御命令を決定する。同様に、(ｎ＋３)番目、(ｎ＋５)番目、．．．スロットで測定した前記チャンネル品質指示チャンネルの信号強度を前記外部循環電力制御の基準値と比較して、それぞれ(ｎ＋５)番目、(ｎ＋７)番目、．．．スロットの電力制御命令を決定する。ｎ番目、(ｎ＋２)番目、及び(ｎ＋４)番目のスロットでは、前記ＭＳから伝送される逆方向パイロットチャンネルの受信信号の強度を測定し、これをパイロットチャンネルのために定められた外部循環電力制御の基準値と比較してそれぞれ(ｎ＋２)番目、(ｎ＋４)番目、及び(ｎ＋６)番目のスロットの電力制御命令を決定する。
【００５６】
前記セクタ１及び前記セクタ２で前記チャンネル品質指示チャンネルのために定められた外部循環電力制御の基準値及び前記逆方向パイロットチャンネルのために定められた外部循環電力制御の基準値は同一の値に設定されるか、または異なる値に設定されることができる。
【００５７】
前述したように、本発明は、逆方向チャンネル品質指示チャンネル(ＣＱＩＣＨ)及び順方向共通電力制御チャンネル(Ｆ−ＣＰＣＣＨ)の送信電力を効果的に制御するための方法を提案している。Ｎ個のセクタがソフトハンドオフ中である場合、前記ＭＳは、前記Ｎ個のセクタに該当する順方向チャンネル品質情報を順次に伝送する。従って、同一のＭＳに対して少なくとも２個以上のセクタから伝送される順方向共通電力制御チャンネルの送信電力を効果的に制御することができる。
【００５８】
ここで、ＭＳが順方向チャンネル品質情報を１．２５ｍｓごと伝送するので、Ｎ個のセクタに交互に伝送する場合には、各セクタに対して“８００／Ｎ[Ｈｚ]”の周期で伝送される。これと関連して、サービスセクタは、前記ＭＳから順方向チャンネル品質情報を受信した後に２タイムスロットだけ経過したスロットでのみチャンネル品質指示チャンネルに対する電力制御命令を伝送し、残りのスロットに対しては、逆方向パイロットチャンネルに対する電力制御命令を伝送する。結果的に、共通電力制御チャンネルに乗せられるチャンネル品質指示チャンネルに対する電力制御命令も“８００／Ｎ[Ｈｚ]”の周期で伝送される。共通電力制御チャンネルでチャンネル品質指示チャンネルの電力制御命令に割り当てられるスロットを除外した残りのスロットは、逆方向パイロットチャンネルの電力制御命令を伝送するのに割り当てられるので、逆方向パイロットチャンネルの電力制御命令は“(８００−８００／Ｎ)[Ｈｚ]”の周期で伝送される。
【００５９】
本発明は、移動通信システムで、ＭＳがソフトハンドオフのとき関連チャンネルの効果的な電力制御に関するものである。すなわち、活性集合が２個以上のセクタを含む場合に適用されることである。一方、ＭＳがソフトハンドオフ中ではない場合、チャンネル品質指示チャンネル(ＣＱＩＣＨ)は、常に１つのセクタにのみ伝送される。そうすると、順方向共通電力制御チャンネル(Ｆ−ＣＰＣＣＨ)も逆方向パイロットチャンネル(Ｒ−ＰＩＣＨ)のみ電力制御を遂行する。すなわち、チャンネル品質指示チャンネル及び逆方向パイロットチャンネルは、ソフトハンドオフが実現されない場合、従来技術と同様に電力制御される。
【００６０】
以上、本発明を具体的な実施形態を参照して詳細に説明してきたが、本発明の範囲は前述の実施形態によって限られるべきではなく、本発明の範囲内で様々な変形が可能であるということは、当該技術分野における通常の知識を持つ者には明らかである。
【図面の簡単な説明】
【００６１】
【図１】従来技術による移動通信システムで順方向及び逆方向電力制御を遂行する関連チャンネルを示す図。
【図２】本発明の実施例による移動通信システムで順方向及び逆方向電力制御を遂行する関連チャンネルを示す図。
【図３】図２に示したチャンネル間のタイミング関係を示す図。
【図４】本発明の実施例による移動通信システムでソフトハンドオフのとき少なくとも２個以上のセクタに逆方向チャンネル品質指示チャンネル(Ｒ−ＣＱＩＣＨ)を交互に伝送するためのＭＳの動作を示すフローチャート。
【図５】本発明の他の実施例による移動通信システムでソフトハンドオフのとき少なくとも２個以上のセクタに逆方向チャンネル品質指示チャンネル(Ｒ−ＣＱＩＣＨ)を交互に伝送するためのサービスセクタでの動作を示すフローチャート。
【図６】本発明の実施例によって活性集合が新たに更新(update)される時点を中心に逆方向チャンネル品質指示チャンネル(Ｒ−ＣＱＩＣＨ)の伝送を臨時的に示す図。
【図７】本発明の実施例による移動通信システムで順方向及び逆方向電力制御に関連したチャンネルの送信及び受信を示す図。
【国際公開パンフレット】
2005501471.tif 000003
2005501471.tif 000004
2005501471.tif 000005
2005501471.tif 000006
2005501471.tif 000007
2005501471.tif 000008
2005501471.tif 000009
2005501471.tif 000010
2005501471.tif 000011
2005501471.tif 000012
2005501471.tif 000013
2005501471.tif 000014
2005501471.tif 000015
2005501471.tif 000016
2005501471.tif 000017
2005501471.tif 000018
2005501471.tif 000019
2005501471.tif 000020
2005501471.tif 000021
2005501471.tif 000022
2005501471.tif 000023
2005501471.tif 000024
2005501471.tif 000025
2005501471.tif 000026
2005501471.tif 000027
2005501471.tif 000028
【国際調査報告】
2005501471.tif 000029
2005501471.tif 000030